Podtech/llm-jp-corpus-v4-ja_patent huggingface dataset:
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
撮影において参照すべきリファレンス画像として利用可能な複数の画像を記憶する記憶ユニットと、
複数の断面に関する撮影を含む手順の流れを定義したワークフローに応じて撮影すべき前記断面が切り替わると、予め前記断面毎に登録された一つ又は複数の画像を前記記憶ユニットから読み出し、読み出した画像をリファレンス画像として表示ユニットに表示する制御ユニットと、
を具備することを特徴とする超音波診断装置。
【請求項２】
前記制御ユニットは、疾病名を用いて前記記憶ユニットを検索して当該疾病名に関する画像を抽出し、前記抽出された画像を用いて前記リファレンス画像を登録することを特徴とする請求項１記載の超音波診断装置。
【請求項３】
前記制御ユニットは、同一患者の過去の検査情報を用いて前記記憶ユニットを検索して、前記同一患者の同一検査部位について撮影された画像、及び過去の検査において利用されたリファレンス画像のうち少なくとも一方を抽出し、前記抽出された画像を用いて前記リファレンス画像を登録することを特徴とする請求項１記載の超音波診断装置。
【請求項４】
前記制御ユニットは、前記ワークフローを実行するにあたり入力される患者情報及び検査部位のうち少なくとも一方を用いて前記記憶ユニットを検索し、その結果抽出された画像を用いて前記リファレンス画像を登録することを特徴とする請求項１記載の超音波診断装置。
【請求項５】
前記記憶ユニットに記憶された前記複数の画像は、前記各断面の撮影においてお手本となる画像を含むことを特徴とする請求項１乃至４のうちいずれか一項記載の超音波診断装置。
【請求項６】
前記記憶ユニットに記憶された前記複数の画像は、前記各断面の撮影において間違いやすい画像をさらに含むことを特徴とする請求項５記載の超音波診断装置。
【請求項７】
前記制御ユニットは、前記リファレンス画像と現在撮影しているカレント画像とを、表示形態を対応させて同時に表示することを特徴とする請求項１乃至６のうちいずれか一項記載の超音波診断装置。
【請求項８】
前記制御ユニットは、前記リファレンス画像と現在撮影しているカレント画像との類似度又は非類似度を計算し、前記類似度又は前記非類似度に基づく前記カレント画像の適否を判定し、その結果を所定の形態で出力することを特徴とする請求項１乃至７のうちいずれか一項記載の超音波診断装置。
【請求項９】
前記制御ユニットは、前記判定において前記カレント画像が適切と判定した場合には、当該カレント画像を前記記憶ユニットに保存し、前記判定において前記カレント画像が不適切と判定した場合には、当該カレント画像を前記記憶ユニットに保存しないこと、を特徴とする請求項８記載の超音波診断装置。
【請求項１０】
前記制御ユニットは、前記リファレンス画像を、現在撮影しているカレント画像と共に所定の形態で前記記憶ユニットに保存することを特徴とする請求項１乃至９のうちいずれか一項記載の超音波診断装置。
【請求項１１】
前記制御ユニットは、前記記憶ユニットに、前記リファレンス画像として利用可能な新たな画像を登録することを特徴とする請求項１記載の超音波診断装置。
【請求項１２】
コンピュータに、
複数の断面に関する撮影を含む手順の流れを定義したワークフローに応じて撮影すべき前記断面が切り替わると、予め前記断面毎に登録された一つ又は複数の画像を前記記憶ユニットから読み出し、撮影において参照すべきリファレンス画像として利用可能な複数の画像を記憶する記憶ユニットから読み出す検索機能と、
読み出した画像をリファレンス画像として表示ユニットに表示させる制御機能と、
を実現させることを特徴とする超音波診断装置制御プログラム。
【請求項１３】
第１の付帯情報が重畳された第１の画像と、第２の画像とを並べて表示ユニットに表示し、
操作者による操作に応答して、前記第１の付帯情報を前記第２の画像の付帯情報として当該第２の画像に関連付けて記憶ユニットに記憶させる制御ユニット、
を具備することを特徴とする超音波診断装置。
【請求項１４】
前記第一の画像は、スキャニングの時間に参照されるべき参照画像として利用可能な画像である請求項１３記載の装置。
【請求項１５】
前記第１の付帯情報は、レイアウト情報と、前記第１の画像に関するアノテーション及びボディマークの少なくとも一方と、を含み、
前記制御ユニットは、前記第１の付帯情報に含まれた前記レイアウト情報に基づいて、前記第１の付帯情報に含まれたアノテーション及びボディマークの少なくとも一方を、前記第２の画像に重畳させて表示すること、
を特徴とする請求項１３記載の超音波診断装置。
【請求項１６】
前記第１の付帯情報は、前記第１の画像に関するアノテーション及びボディマークの少なくとも一方を含み、
前記制御ユニットは、前記第１の画像から前記第２の画像へのドラッグアンドドロップ操作に応答して、前記第２の画像における所定の位置でのアノテーション及びボディマークの少なくとも一方を表示すること、
を特徴とする請求項１３記載の超音波診断装置。
【請求項１７】
第１の付帯情報が重畳された第１の画像と、第２の画像とを並べて表示ユニットに表示し、
前記第１の画像から前記第２の画像へのドラッグアンドドロップ操作に応答して、前記第１の付帯情報を、前記第２の画像の付帯情報として当該第２の画像に関連付けて記憶ユニットに記憶させる制御ユニットと、
を具備することを特徴とする医用画像処理装置。
【請求項１８】
コンピュータに、
第１の付帯情報が重畳された第１の画像と、第２の画像とを並べて表示ユニットに表示させる表示制御機能と、
前記第１の画像から前記第２の画像へのドラッグアンドドロップ操作に応答して、前記第１の付帯情報を、前記第２の画像の付帯情報として当該第２の画像に関連付けて記憶ユニットに記憶させる制御機能と、
を実現させることを特徴とする医用画像処理プログラム。
【手続補正２】
【補正対象書類名】明細書
【補正対象項目名】０００８
【補正方法】変更
【補正の内容】
【０００８】
本実施形態に係る超音波診断装置は、撮影において参照すべきリファレンス画像として利用可能な複数の画像を記憶する記憶ユニットと、複数の断面に関する撮影を含む手順の流れを定義したワークフローに応じて撮影すべき前記断面が切り替わると、予め前記断面毎に登録された一つ又は複数の画像を前記記憶ユニットから読み出し、読み出した画像をリファレンス画像として表示ユニットに表示する制御ユニットと、を具備する。
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
本体ケース（１）に肌面に美容刺激を付与する肌処理ヘッド（６）が設けてあり、
肌処理ヘッド（６）が本体ケース（１）に対して出没自在に設けてあることを特徴とする美容器具。
【請求項２】
肌処理ヘッド（６）は、収納姿勢と使用姿勢の間で出没できるよう本体ケース（１）で支持されており、
収納姿勢における肌処理ヘッド（６）は、本体ケース（１）の厚み範囲内に収容され、使用姿勢における肌処理ヘッド（６）は、少なくとも肌接触面（４４ａ）が本体ケース（１）の外面から突出している請求項１に記載の美容器具。
【請求項３】
使用姿勢における肌処理ヘッド（６）の背面が、本体ケース（１）の外面から突出している請求項１、または２に記載の美容器具。
【請求項４】
肌処理ヘッド（６）は、収納姿勢と使用姿勢の間で出没できるよう本体ケース（１）で支持されており、
使用姿勢における肌処理ヘッド（６）のヘッド中心軸線（Ｐ１）と本体ケース（１）のケース中心軸線（Ｐ）が挟む角度（θ２）と、収納姿勢における肌処理ヘッド（６）のヘッド中心軸線（Ｐ１）と本体ケース（１）のケース中心軸線（Ｐ）が挟む角度（θ１）が異ならせてあり、
前者角度（θ２）が後者角度（θ１）に比べて大きく設定してある請求項１から３のいずれかひとつに記載の美容器具。
【請求項５】
肌処理ヘッド（６）は、収納姿勢と使用姿勢の間で出没できるよう本体ケース（１）で支持されており、
肌処理ヘッド（６）に装着した支持リンク体（１７）の上部が本体ケース（１）に装着されて、肌処理ヘッド（６）が前後傾動可能に支持されており、
使用姿勢における肌処理ヘッド（６）の肌接触面（４４ａ）が後傾姿勢になるよう支持リンク体（１７）が配置してある請求項１から４のいずれかひとつに記載の美容器具。
【請求項６】
本体ケース（１）と肌処理ヘッド（６）の間に、肌処理ヘッド（６）を出没可能に支持するヘッド支持機構（１６）が設けられており、
ヘッド支持機構（１６）が、本体ケース（１）に連結されて前後傾動する支持リンク体（１７）と、同リンク体（１７）を傾動操作して肌処理ヘッド（６）を収納姿勢と使用姿勢の間で切換える操作機構（１８）を備えている請求項５に記載の美容器具。
【請求項７】
本体ケース（１）の下半側にグリップ部（４）が設けられ、本体ケース（１）の上端とグリップ部（４）の間に肌処理ヘッド（６）が配置されており、
支持リンク体（１７）の上部は本体ケース（１）の上端側に前後傾動可能に連結されており、
支持リンク体（１７）の下部と肌処理ヘッド（６）が相対傾動可能に連結してある請求項６に記載の美容器具。
【請求項８】
操作機構（１８）が、本体ケース（１）に沿って上下スライドする第１操作具（２５）と、第１操作具（２５）のスライド動作を受けて肌処理ヘッド（６）を収納姿勢と使用姿勢の間で前後に傾動操作する第２操作具（２６）を備えている請求項６、または７に記載の美容器具。
【請求項９】
第１操作具（２５）がグリップ部（４）に配置されて、本体ケース（１）に設けたガイド構造（２７）で上下スライド自在に案内支持されており、
ガイド構造（２７）に臨む第１操作具（２５）の外面に、第１操作具（２５）をスライド操作する操作ノブ（２８）が設けてある請求項８に記載の美容器具。
【請求項１０】
支持リンク体（１７）と、第２操作具（２６）のそれぞれが、屈曲変形可能な弾性シート材で形成してある請求項８または９に記載の美容器具。
【請求項１１】
肌処理ヘッド（６）は、収納姿勢と使用姿勢の間で出没できるよう本体ケース（１）で支持されており、
本体ケース（１）の上部に、収納姿勢における肌処理ヘッド（６）を収納するヘッド収容部（５）が設けられており、
肌処理ヘッド（６）をヘッド収容部（５）に収納した状態において、肌処理ヘッド（６）の少なくとも左右周面と下周面がヘッド収容部（５）で覆われている請求項１から１０のいずれかひとつに記載の美容器具。
【請求項１２】
ヘッド収容部（５）が無端環状の凹部、ないし本体ケース（１）を前後に貫通する貫通穴で形成してある請求項１１に記載の美容器具。
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
眼科検査装置によって取得された被検眼の画像データを処理する眼科画像処理装置であって、
眼科検査装置によって取得された被検眼の画像データを処理して前記画像データを含むレポートを作成する画像処理手段と、
前記レポートとして出力する画像データの検査日を設定する設定手段と、
を備え、
前記画像処理手段は、前記設定手段によって設定された検査日又は検査日を基準とする一定期間内の画像データを記憶部から取得し、取得された画像データに基づくレポートを作成し、出力することを特徴とする眼科画像処理装置。
【請求項２】
前記設定手段は、前記レポートとして出力する画像データの検査日を変更可能であり、
前記画像処理手段は、前記設定手段によって変更された検査日又は検査日を基準とする一定期間内の画像データを記憶部から取得し、取得された画像データに基づくレポートを作成し、出力することを特徴とする請求項１の眼科画像処理装置。
【請求項３】
前記画像処理手段は、前記設定手段によって設定可能な検査日リストを、記憶部に記憶された被検眼の画像データに付帯された検査日データに基づいて作成し、表示部上において選択可能に表示することを特徴とする請求項１〜２のいずれかの眼科画像処理装置。
【請求項４】
前記設定手段は、さらに、前記レポートして出力する画像データの画像種別を設定可能であり、
前記画像処理手段は、前記設定手段によって設定された検査日及び画像種別に基づいて、前記設定手段によって設定された検査日又は検査日を基準とする一定期間内の画像データであって設定された画像種別に対応する画像データを記憶部から取得し、
取得された画像データに基づくレポートを作成し、出力することを特徴とする請求項１〜３のいずれかの眼科画像処理装置。
【請求項５】
前記設定手段は、前記レポートとして出力する画像データの検査日を、一定期間として設定可能であり、
前記画像処理手段は、前記設定手段によって設定された一定期間内の画像データを記憶部から取得し、取得された画像データに基づくレポートを作成し、出力することを特徴とする請求項１〜４のいずれかの眼科画像処理装置。
【請求項６】
眼科検査装置によって取得された被検眼の画像データを処理する眼科画像処理装置において実行される眼科画像処理プログラムであって、
前記眼科画像処理装置のプロセッサによって実行されることで、
眼科検査装置によって取得された被検眼の画像データを処理して前記画像データを含むレポートを作成する画像処理ステップと、
前記レポートとして出力する画像データの検査日を設定する設定ステップと、
を前記科画像処理装置に実行させ、
画像処理ステップは、前記設定手段によって設定された検査日又は検査日を基準とする一定期間内の画像データを記憶部から取得し、取得された画像データに基づくレポートを作成し、出力することを特徴とする眼科画像処理プログラム。
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
複数の眼科検査装置によって取得された被検眼の画像データを処理する眼科画像処理装置であって、
第１の眼科検査装置によって取得された被検眼の画像データである第１の画像データと、第２の眼科検査装置によって取得された画像データである第２の画像データとを重ね合わせたレジストレーション画像を作成する画像処理手段と、
前記レジストレーション画像を構成する前記第１の画像データ及び前記第２の画像データにおける画像種別を設定する設定手段と、
を備え、
前記画像処理手段は、前記設定手段によって設定された画像種別に対応する前記第１の画像データ及び前記第２の画像データを重ね合わせたレジストレーション画像を作成し、出力することを特徴とする眼科画像処理装置。
【請求項２】
前記設定手段は、さらに、前記レジストレーション画像の作成において、前記第１の画像データと前記第２の画像データを重ね合わせる順番を設定変更可能であり、
前記画像処理手段は、設定変更された順番に基づいてレジストレーション画像を作成することを特徴とする請求項１の眼科画像処理装置。
【請求項３】
前記設定手段は、さらに、前記レジストレーション画像の作成において、前記第１の画像データと前記第２の画像データの少なくともいずれかの透過率を設定変更可能であり、
前記画像処理手段は、設定変更された透過率に基づいてレジストレーション画像を作成することを特徴とする請求項１〜２のいずれかの眼科画像処理装置。
【請求項４】
前記画像処理手段は、前記レジストレーション画像と、前記レジストレーション画像とは異なる他の画像とを含むレポートを作成することを特徴とする請求項１〜３のいずれかの眼科画像処理装置。
【請求項５】
前記画像処理手段は、
前記第１の画像データとして、第１の眼科検査装置によって取得された被検眼のマップ画像である第１のマップ画像データと、第１の眼科検査装置によって取得された被検眼の正面画像である第１の正面画像データであって前記第１のマップ画像データと対応付けされた第１の正面画像データと、とを記憶部から取得し、
前記第２の画像データとして、第２の眼科検査装置によって取得された被検眼のマップ画像である第２のマップ画像データと、第２の眼科検査装置によって取得された被検眼の正面画像である第２の正面画像データとを記憶部から取得し、
前記第１のマップ画像データと、前記第１の正面画像データと、前記第２のマップ画像データと、前記第２の正面画像データとを重ね合わせたレジストレーション画像を作成し、出力することを特徴とする請求項１〜４のいずれかの眼科画像処理装置。
【請求項６】
請求項１の眼科画像処理装置において、
前記第１の眼科検査装置は、眼科用ＯＣＴデバイスであって、前記第２の眼科検査装置は、視野検査装置であり、
前記画像処理手段は、
前記眼科用ＯＣＴデバイスによって取得された被検眼のＯＣＴ二次元画像である第１の画像データと、前記視野検査装置によって取得された被検眼のマップ画像である第２の画像データとを重ね合わせたレジストレーション画像を作成し、出力することを特徴とする眼科画像処理装置。
【請求項７】
請求項６の眼科画像処理装置において、
前記ＯＣＴ二次元画像は、ＯＣＴのエンファイス画像データであることを特徴とする眼科画像処理装置。
【請求項８】
請求項７の眼科画像処理装置において、
前記エンファイス画像データは、特定の層に関するエンファイス画像データであることを特徴とする眼科画像処理装置。
【請求項９】
請求項７の眼科画像処理装置において、
前記エンファイス画像データは、ＯＣＴモーションコントラストエンファイス画像データであることを特徴とする眼科画像処理装置。
【請求項１０】
前記画像処理手段は、
前記第１の眼科検査装置及び前記第２の眼科検査装置とは異なる第３の眼科検査装置によって取得された被検眼の画像データである第３の画像データと、第１の眼科検査装置によって取得された被検眼の画像データである第１の画像データとを重ね合わせたレジストレーション画像を作成する画像処理手段であって、
前記設定手段は、前記第１の画像データに重ね合わせる画像の画像種別を、前記第２の画像データと前記第３の画像データとの間で変更可能であることを特徴とする請求項１〜９のいずれかの眼科画像処理装置。
【請求項１１】
複数の眼科検査装置によって取得された被検眼の画像データを処理する眼科画像処理装置において実行される眼科画像処理プログラムであって、
前記眼科画像処理装置のプロセッサによって実行されることで、
第１の眼科検査装置によって取得された被検眼の画像データである第１の画像データと、第２の眼科検査装置によって取得された画像データである第２の画像データとを重ね合わせたレジストレーション画像を作成する画像処理ステップと、
前記レジストレーション画像を構成する前記第１の画像データ及び前記第２の画像データにおける画像種別を設定する設定ステップと、を前記眼科画像処理装置に実行させ、
前記画像処理ステップは、前記設定手段によって設定された画像種別に対応する前記第１の画像データ及び前記第２の画像データを重ね合わせたレジストレーション画像を作成し、出力することを特徴とする眼科画像処理プログラム。
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
眼科用レーザ治療装置であって、
治療用レーザ光を患者眼に照射する照射手段と、
前記照射手段を制御する制御手段と、を備え、
前記制御手段は、
患者眼によって反射された測定光と、前記測定光に対応する参照光とのＯＣＴ信号を検出するＯＣＴユニットによって取得されたモーションコントラストを取得し、
前記モーションコントラストに基づく照射目標情報を取得し、
前記照射目標情報に基づいて前記レーザ光を照射させるように前記照射手段を制御することを特徴とする眼科用レーザ治療装置。
【請求項２】
前記患者眼の眼底正面画像を撮影する撮影手段をさらに備え、
前記制御手段は、
前記モーションコントラストの画像と、前記眼底正面画像との位置合わせを行い、
前記照射目標情報を前記眼底正面画像に対応させた照射目標に前記レーザ光を照射させることを特徴とする請求項１の眼科用レーザ治療装置。
【請求項３】
前記制御手段は、
前記撮影手段によって随時撮影される眼底正面画像から患者眼の動きによって生じた前記照射目標の変位を検出し、
前記変位に基づいて、レーザ光の照射位置を追従させることを特徴とする請求項１または２の眼科用レーザ治療装置。
【請求項４】
前記制御手段は、前記照射目標情報に基づいてレーザ光の焦点位置を制御することを特徴とする請求項１〜３のいずれかの眼科用レーザ治療装置。
【請求項５】
前記制御手段は、前記照射目標情報に基づいて照射された前記レーザ光の照射位置を少なくとも含む領域におけるモーションコントラストをＯＣＴユニットから取得し、前記レーザ光の照射前のモーションコントラストと照射後のモーションコントラストを比較することを特徴とする請求項１〜４のいずれかの眼科用レーザ治療装置。
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
光源から出力された光を測定光と参照光とに分割し、被検体内に挿入されるプローブを介して，被検体上に前記測定光を照射し，且つ，前記測定光を繰り返し走査し、前記測定光の反射光と前記参照光との干渉を検出器によって検出する、光断層像撮影装置であって、
被検体における同一の横断位置での断層画像を、前記検出器からの信号に基づいて時間的に連続して複数取得する断層画像取得手段と、
前記断層画像取得手段によって随時取得される新たな断層画像と、その新たな断層画像よりも過去において取得された断層画像である過去画像であって，新たな断層画像と取得されたタイミングが連続する一定枚数分の範囲に含まれる１枚以上の過去画像と、の合成
画像をリアルタイムに生成し、前記合成画像からなるリアルタイムな動画像を，表示部に表示させる動画像生成手段と、を有する光断層像撮影装置。
【請求項２】
前記動画像生成手段は、前記新たな断層画像と前記過去画像との位置ずれ及び歪みの少なくともいずれかを補正するための補正処理を行い、前記補正処理後の各断層画像に基づいて前記合成画像を生成する請求項１記載の光断層像撮影装置。
【請求項３】
前記動画像生成手段は、前記補正処理において、それぞれの断層画像における一部の領域でのマッチング結果に基づいて画像全体を補正する請求項２記載の光断層像撮影装置。
【請求項４】
前記動画像生成手段は、前記新たな断層画像と前記過去画像とのうち１枚を選択し、選択された断層画像を基準とする，せん断，および，拡大縮小のうち少なくとも一方を含む線形変換を残りの断層画像に対して行い、選択された断層画像および前記線形変換後の残りの断層画像に基づいて前記合成画像を生成する請求項１から３のいずれかに記載の光断層像撮影装置。
【請求項５】
前記新たな断層画像と取得されたタイミングが連続する前記一定枚数分の範囲に含まれる過去画像のうち，前記合成画像を得るために前記新たな断層画像との合成処理の対象となるものを選択するための選択手段を有し、
前記選択手段は、各々の前記過去画像と前記新たな断層画像とのパターンマッチング結果に基づいて、前記合成処理の対象とするか否かを過去画像毎に判定する請求項１から４の何れかに記載の光断層像撮影装置。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
複数のチャネルに対応する複数の振動子から被検体内部に超音波を送信し、前記被検体内部で生ずる反射波を前記振動子で受信する超音波診断装置であって、
前記複数のチャネルのうち、前記超音波を送信するチャネルと前記超音波を送信しないチャネルとを制御する制御回路と、
前記反射波を受信する受信回路と、を備え、
前記受信回路は、
前記反射波を増幅するプリアンプと、
前記プリアンプの前段に配置され、前記振動子から前記被検体内部に前記超音波を送信する送信期間中におけるラインインピーダンスを、前記反射波を前記振動子で受信する受信期間中よりも低インピーダンスに設定するインピーダンス制御回路と、
を備えることを特徴とする超音波診断装置。
【請求項２】
前記インピーダンス制御回路は、受信エコー信号ラインとグランドとに接続されるインピーダンス制御スイッチング素子を備えることを特徴とする請求項１に記載の超音波診断装置。
【請求項３】
前記インピーダンス制御回路は、さらに、前記受信エコー信号ラインと前記インピーダンス制御スイッチング素子との間に抵抗を備えることを特徴とする請求項２に記載の超音波診断装置。
【請求項４】
前記受信回路は、前記反射波の受信のＯＮ、ＯＦＦを切り替えるラインスイッチング素子を備えることを特徴とする請求項１ないし請求項３のいずれかに記載の超音波診断装置。
【請求項５】
前記制御回路は、前記振動子から前記被検体内部に前記超音波を送信する送信期間中、インピーダンス制御スイッチング素子をＯＮとする制御信号を生成し、前記制御信号を前記インピーダンス制御スイッチング素子に対して出力することで、前記受信回路を前記インピーダンス制御回路を介して接地させて低インピーダンスに設定することを特徴とする請求項１ないし請求項４のいずれかに記載の超音波診断装置。
【請求項６】
前記インピーダンス制御回路は、コントラストハーモニックイメージングにおける振幅変調法を行う場合に用いることを特徴とする請求項１ないし請求項５のいずれかに記載の超音波診断装置。
【請求項７】
前記制御回路は、コントラストハーモニックイメージングにおける振幅変調法を行う場合に、前記受信回路を前記インピーダンス制御回路を介して接地させて低インピーダンスに設定することを特徴とする請求項１ないし請求項６のいずれかに記載の超音波診断装置。
【手続補正２】
【補正対象書類名】明細書
【補正対象項目名】００１２
【補正方法】変更
【補正の内容】
【００１２】
実施形態における超音波診断装置は、複数のチャネルに対応する複数の振動子から被検体内部に超音波を送信し、被検体内部で生ずる反射波を振動子で受信する超音波診断装置であって、制御回路と受信回路とを備える。制御回路は、複数のチャネルのうち、超音波を送信するチャネルと超音波を送信しないチャネルとを制御する。受信回路は、反射波を受信し、反射波を増幅するプリアンプと、プリアンプの前段に配置され、振動子から被検体内部に超音波を送信する送信期間中におけるラインインピーダンスを、反射波を振動子で受信する受信期間中よりも低インピーダンスに設定するインピーダンス制御回路と、を備える。
【手続補正３】
【補正対象書類名】明細書
【補正対象項目名】００２５
【補正方法】変更
【補正の内容】
【００２５】
さらに、本発明の実施の形態における受信回路３２には、ラインスイッチング素子３２２とプリアンプ３２３との間に、受信エコー信号ライン３２１に接続されるラインインピーダンス制御回路４が設けられている。当該ラインインピーダンス制御回路４は、振幅変調法により送信回路３１から振動子を介して被検体の内部に向けて超音波が送信される際に、送信しないチャネルへのクロストークによる弊害を低減する。なお、当該ラインインピーダンス制御回路４は、特許請求の範囲における「インピーダンス制御回路」に該当する。但し、以下においては、このまま「ラインインピーダンス制御回路」と表す。
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
外周面に複数種類の図柄が配置された複数の回胴と、
遊技毎に役を内部抽選し、抽選結果を導出する内部抽選手段と、
遊技毎に複数の回胴を回転させ、各々の回胴に対応して設けられた停止スイッチの操作を受け付けて、前記抽選結果に基づいて対応する回胴を個々に停止させることにより、複数の図柄を表示する図柄表示制御手段と、
前記図柄の表示結果に応じて特典を付与する特典付与手段と、
を具備し、
前記役には、少なくともボーナス役と、複数の共通小役と、複数の押し順小役があり、
前記ボーナス役は、作動図柄が表示されなければ、次の遊技に当選状態を持ち越す役であり、
前記共通小役及び前記押し順小役は、配当が最も多い特定小役と、該特定小役の入賞を阻害する為の複数の第一阻害小役及び一つの第二阻害小役が同時に内部当選状態となる役であり、
前記ボーナス役が不当選で、前記複数の共通小役の１つが内部当選している状態において、前記停止スイッチの全ての操作が完了すると、該操作の順序に拘わらず、前記図柄表示制御手段は、前記第一阻害小役及び前記第二阻害小役の何れも入賞させることなく、必ず該特定小役を入賞させ、
前記ボーナス役が不当選で、前記複数の押し順小役の１つが内部当選している状態において、前記停止スイッチが入賞操作順序で操作されると、図柄表示制御手段は該特定小役を入賞させる一方、前記停止スイッチが該入賞操作順序と異なる順序で操作され、且つ阻害小役図柄を引き込めないタイミングで操作されたとき、図柄表示制御手段は前記第一阻害小役のコボシ目を表示し、
前記ボーナス役及び前記複数の共通小役の１つが内部当選している状態において、前記停止スイッチが入賞操作順序で操作されると、前記図柄表示制御手段は前記特定小役を入賞させ、前記停止スイッチの最初の操作が入賞操作順序で操作され、続く操作が入賞操作順序と異なると、前記第二阻害小役を入賞させる一方、前記停止スイッチの最初の操作が該入賞操作順序と異なる順序で操作され、且つ前記第一阻害小役図柄を引き込めないタイミングで操作されたとき、前記図柄表示制御手段は前記ボーナス役の作動図柄を表示可能であり、
前記ボーナス役及び前記複数の押し順小役の１つが内部当選している状態において、前記停止スイッチが入賞操作順序で操作されると、図柄表示制御手段は該特定小役を入賞させ、前記停止スイッチの最初の操作が入賞操作順序で操作され、続く操作が入賞操作順序と異なると、前記第二阻害小役を入賞させる一方、前記停止スイッチの最初の操作が該入賞操作順序と異なる順序で操作され、且つ前記第一阻害小役図柄を引き込めないタイミングで操作されたとき、図柄表示制御手段は前記ボーナス役の作動図柄を表示可能なこと、
を特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成する為に、外周面に複数種類の図柄が配置された複数の回胴と、遊技毎に役を内部抽選し、抽選結果を導出する内部抽選手段と、遊技毎に複数の回胴を回転させ、各々の回胴に対応して設けられた停止スイッチの操作を受け付けて、前記抽選結果に基づいて対応する回胴を個々に停止させることにより、複数の図柄を表示する図柄表示制御手段と、前記図柄の表示結果に応じて特典を付与する特典付与手段と、を具備し、前記役には、少なくともボーナス役と、複数の共通小役と、複数の押し順小役があり、前記ボーナス役は、作動図柄が表示されなければ、次の遊技に当選状態を持ち越す役であり、前記共通小役及び前記押し順小役は、配当が最も多い特定小役と、該特定小役の入賞を阻害する為の複数の第一阻害小役及び一つの第二阻害小役が同時に内部当選状態となる役であり、前記ボーナス役が不当選で、前記複数の共通小役の１つが内部当選している状態において、前記停止スイッチの全ての操作が完了すると、該操作の順序に拘わらず、前記図柄表示制御手段は、前記第一阻害小役及び前記第二阻害小役の何れも入賞させることなく、必ず該特定小役を入賞させ、前記ボーナス役が不当選で、前記複数の押し順小役の１つが内部当選している状態において、前記停止スイッチが入賞操作順序で操作されると、図柄表示制御手段は該特定小役を入賞させる一方、前記停止スイッチが該入賞操作順序と異なる順序で操作され、且つ阻害小役図柄を引き込めないタイミングで操作されたとき、図柄表示制御手段は前記第一阻害小役のコボシ目を表示し、前記ボーナス役及び前記複数の共通小役の１つが内部当選している状態において、前記停止スイッチが入賞操作順序で操作されると、前記図柄表示制御手段は前記特定小役を入賞させ、前記停止スイッチの最初の操作が入賞操作順序で操作され、続く操作が入賞操作順序と異なると、前記第二阻害小役を入賞させる一方、前記停止スイッチの最初の操作が該入賞操作順序と異なる順序で操作され、且つ前記第一阻害小役図柄を引き込めないタイミングで操作されたとき、前記図柄表示制御手段は前記ボーナス役の作動図柄を表示可能であり、前記ボーナス役及び前記複数の押し順小役の１つが内部当選している状態において、前記停止スイッチが入賞操作順序で操作されると、図柄表示制御手段は該特定小役を入賞させ、前記停止スイッチの最初の操作が入賞操作順序で操作され、続く操作が入賞操作順序と異なると、前記第二阻害小役を入賞させる一方、前記停止スイッチの最初の操作が該入賞操作順序と異なる順序で操作され、且つ前記第一阻害小役図柄を引き込めないタイミングで操作されたとき、図柄表示制御手段は前記ボーナス役の作動図柄を表示可能なことを特徴とする。
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
被検体の頭部に装着された頭部装着体に設置され、前記被検体と接触せずに得られる情報から該被検体の生体情報を抽出する生体情報抽出装置であって、
前記被検体の少なくとも顔の一部を被写体として含む時間的に連続する撮像画像を撮像するカメラと、
前記カメラで撮像した撮像画像から肌色領域を選択する領域選択部と、
前記肌色領域に基づいて抽出された前記被検体の生体に関する生体関連データを所定の送信先に送信するデータ送信部とを備えており、
前記カメラが、前記被検体の前記顔の側面に向けて配置されたことを特徴とする生体情報抽出装置。
【請求項２】
前記カメラが、前記顔の側面の一部を撮像するように設定されたことを特徴とする請求項１に記載の生体情報抽出装置。
【請求項３】
前記顔の一部が、前記顔の頬であることを特徴とする請求項２に記載の生体情報抽出装置。
【請求項４】
前記生体関連データが、前記肌色領域の時系列的な画像データであることを特徴とする請求項１ないし請求項３のいずれかに記載の生体情報抽出装置。
【請求項５】
前記肌色領域の前記時系列的な画像データに基づき前記被検体の脈波信号を検出する脈波検出部をさらに備え、
前記生体関連データが、前記脈波信号であることを特徴とする請求項４に記載の生体情報抽出装置。
【請求項６】
前記脈波信号に基づき前記被検体の生体情報を抽出する生体情報抽出部をさらに備え、
前記生体関連データが、前記生体情報であることを特徴とする請求項５に記載の生体情報抽出装置。
【請求項７】
前記頭部装着体が、ヘルメットまたはヘッドレストを含むことを特徴とする請求項１ないし請求項６のいずれかに記載の生体情報抽出装置。
【請求項８】
前記カメラが、そのレンズに可視光カットフィルタおよび赤外光カットフィルタを有することを特徴とする請求項１ないし請求項７のいずれかに記載の生体情報抽出装置。
【請求項９】
前記カメラが、ＬＥＤ照明を有することを特徴とする請求項１ないし請求項８のいずれかに記載の生体情報抽出装置。
【請求項１０】
請求項１から請求項９のいずれかに記載の前記生体情報抽出装置と、
前記生体情報抽出装置から送信された前記生体関連データを受信する生体情報分析装置とを備えたことを特徴とする生体情報抽出システム。
【請求項１１】
前記カメラが、前記被写体の前記顔の両側面のうち、いずれか一方のみを撮像するように配置されたことを特徴とする請求項１に記載の生体情報抽出装置。
【請求項１２】
前記顔の一部が、前記顔の左右の頬のいずれか一方であることを特徴とする請求項１１に記載の生体情報抽出装置。
【請求項１３】
被検体と接触せずに得られる情報から該被検体の生体情報を抽出する生体情報抽出装置であって、
前記被検体の頭部に装着される筐体と、
前記筐体に設置され、前記被検体の少なくとも顔の一部を被写体として含む時間的に連続する撮像画像を撮像するカメラと、
前記筐体に設置され、前記カメラで撮像した撮像画像から肌色領域を選択する領域選択部と、
前記筐体に設置され、前記肌色領域に基づいて抽出された前記被検体の生体に関する生体関連データを所定の送信先に送信するデータ送信部と、を備えており、
前記カメラが、前記被検体の前記顔の側面に向けて配置されたことを特徴とする生体情報抽出装置。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
ユーザにプレイさせるためのゲームパートを含むゲームを制御する情報処理装置に、
ゲームパートに対応付けて、ゲームパートの状態と、所定の期間を示す開催期間と、を記憶部に記憶するステップと、
前記ゲームパートが対応付けられた特定ゲーム媒体を前記ユーザに対応付けるステップと、
現在時刻が前記開催期間外である場合、前記ゲームパートの状態を、前記ユーザによるプレイが禁止される第１状態に定める第１ステップと、
現在時刻が前記開催期間内である場合、前記ゲームパートの状態を、前記ユーザによるプレイが許可される第２状態に定める第２ステップと、
前記ゲームパートの状態が第１状態又は第２状態であるときに、前記特定ゲーム媒体を示す情報及び前記ゲームパートを示す情報を含む開催要求を取得すると、前記ゲームパートの状態を、前記ユーザによるプレイが許可される第３状態に定める第３ステップと、
前記ゲームパートの状態が第２状態又は第３状態であるときに、前記ゲームパートの設定情報に基づいて前記ゲームパートを前記ユーザにプレイさせるプレイステップと、
を実行させ、
前記プレイステップにおいて、前記ゲームパートの状態が第２状態であるときに用いられる設定情報と、前記ゲームパートの状態が第３状態であるときに用いられる設定情報とが異なる、プログラム。
【請求項２】
請求項１に記載のプログラムであって、
前記ゲームパートの前記設定情報は、前記ゲームパートが実行される際に用いられる所定のパラメータの値を示す情報と、前記ゲームパートにおけるプレイの継続に関する情報と、前記ゲームパートの難度を示す情報と、前記ゲームパートの実行によって前記ユーザに対応付けられ得るゲーム媒体の種類、数量、若しくは該ゲーム媒体が前記ユーザに対応付けられる確率を示す情報と、のうち少なくとも１つの情報を含む、プログラム。
【請求項３】
請求項１又は２に記載のプログラムであって、
前記特定ゲーム媒体には、複数のゲームパートが対応付けられており、
前記開催要求は、前記特定ゲーム媒体を示す前記情報と、前記特定ゲーム媒体に対応付けられた前記複数のゲームパートのうち第１状態又は第２状態である所定数のゲームパートを示す情報と、を含み、
前記第３ステップにおいて、取得された前記開催要求によって示される前記所定数のゲームパートの状態を第３状態に定める、プログラム。
【請求項４】
請求項３に記載のプログラムであって、
前記特定ゲーム媒体に対応付けられた前記複数のゲームパートそれぞれには、該ゲームパートのプレイを許可するためのプレイ条件が定められており、
前記開催要求は、前記特定ゲーム媒体を示す前記情報と、前記特定ゲーム媒体に対応付けられた前記複数のゲームパートのうち、第１状態又は第２状態であって且つ前記プレイ条件が満たされる所定数のゲームパートを示す情報を含む、プログラム。
【請求項５】
請求項１乃至４の何れか一項に記載のプログラムであって、
複数のゲームパートそれぞれには、該ゲームパートのプレイに応じて前記ユーザに対応付けられ得るゲーム媒体が対応付けられており、
前記情報処理装置に、
検索要求を取得すると、前記複数のゲームパートのうち、該検索要求に合致するゲーム媒体が対応付けられたゲームパートを識別する第１識別ステップと、
複数の特定ゲーム媒体のうち、前記第１識別ステップで識別された前記ゲームパートが対応付けられた特定ゲーム媒体を識別するステップと、
を更に実行させる、プログラム。
【請求項６】
請求項１乃至５の何れか一項に記載のプログラムであって、
前記第３ステップは、現在時刻が、前記開催期間外及び前記開催期間内の少なくとも一方における任意の時刻であるときに、前記特定ゲーム媒体を示す情報及び前記ゲームパートを示す情報を含む開催要求を取得すると、前記ゲームパートの状態を、前記ユーザによるプレイが許可される第３状態に定める、プログラム。
【請求項７】
ユーザにプレイさせるためのゲームパートを含むゲームを制御する情報処理装置であって、
ゲームパートに対応付けて、ゲームパートの状態と、所定の期間を示す開催期間と、を記憶する記憶部と、
制御部と、を備え、
前記制御部は、
前記ゲームパートが対応付けられた特定ゲーム媒体を前記ユーザに対応付け、
現在時刻が前記開催期間外である場合、前記ゲームパートの状態を、前記ユーザによるプレイが禁止される第１状態に定め、
現在時刻が前記開催期間内である場合、前記ゲームパートの状態を、前記ユーザによるプレイが許可される第２状態に定め、
前記ゲームパートの状態が第１状態又は第２状態であるときに、前記特定ゲーム媒体を示す情報および前記ゲームパートを示す情報を含む開催要求を取得すると、前記ゲームパートの状態を、前記ユーザによるプレイが許可される第３状態に定め、
前記ゲームパートの状態が第２状態又は第３状態であるときに、前記ゲームパートの設定情報に基づいて前記ゲームパートをプレイさせるプレイ処理を行い、
前記プレイ処理において、前記ゲームパートの状態が第２状態であるときに用いられる設定情報と、前記ゲームパートの状態が第３状態であるときに用いられる設定情報とが異なる、情報処理装置。
【請求項８】
情報処理装置を用いて行う、ユーザにプレイさせるためのゲームパートを含むゲームの制御方法であって、
前記情報処理装置の制御部が、
ゲームパートに対応付けて、ゲームパートの状態と、所定の期間を示す開催期間と、を記憶部に記憶するステップと、
前記ゲームパートが対応付けられた特定ゲーム媒体を前記ユーザに対応付けるステップと、
現在時刻が前記開催期間外である場合、前記ゲームパートの状態を、前記ユーザによるプレイが禁止される第１状態に定める第１ステップと、
現在時刻が前記開催期間内である場合、前記ゲームパートの状態を、前記ユーザによるプレイが許可される第２状態に定める第２ステップと、
前記ゲームパートの状態が第１状態又は第２状態であるときに、前記特定ゲーム媒体を示す情報および前記ゲームパートを示す情報を含む開催要求を取得すると、前記ゲームパートの状態を、前記ユーザによるプレイが許可される第３状態に定める第３ステップと、
前記ゲームパートの状態が第２状態又は第３状態であるときに、前記ゲームパートの設定情報に基づいて前記ゲームパートをプレイさせるプレイステップと、
を含み、
前記プレイステップにおいて、前記ゲームパートの状態が第２状態であるときに用いられる設定情報と、前記ゲームパートの状態が第３状態であるときに用いられる設定情報とが異なる、制御方法。
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
コンピュータを、
プレイヤの指示によりゲーム内で行動を行う第１の所持の上限が設けられた第１のゲーム要素と、前記第１の所持の上限とは別個の第２の所持の上限が設けられた第２のゲーム要素とを、前記第１及び第２のゲーム要素で共通に設定される第１のデータ項目と、前記第１のゲーム要素にのみ設定される第２のデータ項目とにより管理する管理手段、
プレイヤから前記第１のゲーム要素を前記第２のゲーム要素に変換する指示を受け付け、変換前の前記第１のゲーム要素から前記第２のデータ項目を削除して前記第２のゲーム要素に変換する変換手段、
プレイヤからの指示を受け付け、前記第２のゲーム要素を素材として消費することで前記第１のゲーム要素に合成し、該第２のゲーム要素と該第１のゲーム要素とが共通して有する前記第１のデータ項目に基づいて該第１のゲーム要素の強化を行う合成強化手段、
として機能させるためのプログラム。
【請求項２】
前記合成強化手段は、前記第２のゲーム要素と前記第１のゲーム要素とが共通して有する前記第１のデータ項目に基づいて該第１のゲーム要素の該第１のデータ項目の強化を行うこと
を特徴とする請求項１記載のプログラム。
【請求項３】
コンピュータを、更に、
プレイヤ間において前記第２のゲーム要素の所有を変えるデータ移動を伴う取引きを行える取引手段、
として機能させるための請求項１又は請求項２記載のプログラム。
【請求項４】
プレイヤの指示によりゲーム内で行動を行う第１の所持の上限が設けられた第１のゲーム要素と、前記第１の所持の上限とは別個の第２の所持の上限が設けられた第２のゲーム要素とを、前記第１及び第２のゲーム要素で共通に設定される第１のデータ項目と、前記第１のゲーム要素にのみ設定される第２のデータ項目とにより管理する管理手段と、
プレイヤから前記第１のゲーム要素を前記第２のゲーム要素に変換する指示を受け付け、変換前の前記第１のゲーム要素から前記第２のデータ項目を削除して前記第２のゲーム要素に変換する変換手段と、
プレイヤからの指示を受け付け、前記第２のゲーム要素を素材として消費することで前記第１のゲーム要素に合成し、該第２のゲーム要素と該第１のゲーム要素とが共通して有する前記第１のデータ項目に基づいて該第１のゲーム要素の強化を行う合成強化手段と、
を備える情報処理装置。
【請求項５】
前記合成強化手段は、前記第２のゲーム要素と前記第１のゲーム要素とが共通して有する前記第１のデータ項目に基づいて該第１のゲーム要素の該第１のデータ項目の強化を行うこと
を特徴とする請求項４記載の情報処理装置。
【請求項６】
プレイヤ間において前記第２のゲーム要素の所有を変えるデータ移動を伴う取引きを行える取引手段
を備える請求項４又は請求項５記載の情報処理装置。
【手続補正２】
【補正対象書類名】明細書
【補正対象項目名】発明の名称
【補正方法】変更
【補正の内容】
【発明の名称】プログラム及び情報処理装置
【手続補正３】
【補正対象書類名】明細書
【補正対象項目名】０００１
【補正方法】変更
【補正の内容】
【０００１】
本発明はプログラム及び情報処理装置に関する。
【手続補正４】
【補正対象書類名】明細書
【補正対象項目名】０００７
【補正方法】変更
【補正の内容】
【０００７】
上記した課題を解決するために、本願請求項１のプログラムは、コンピュータを、プレイヤの指示によりゲーム内で行動を行う第１の所持の上限が設けられた第１のゲーム要素と、前記第１の所持の上限とは別個の第２の所持の上限が設けられた第２のゲーム要素とを、前記第１及び第２のゲーム要素で共通に設定される第１のデータ項目と、前記第１のゲーム要素にのみ設定される第２のデータ項目とにより管理する管理手段、プレイヤから前記第１のゲーム要素を前記第２のゲーム要素に変換する指示を受け付け、変換前の前記第１のゲーム要素から前記第２のデータ項目を削除して前記第２のゲーム要素に変換する変換手段、プレイヤからの指示を受け付け、前記第２のゲーム要素を素材として消費することで前記第１のゲーム要素に合成し、該第２のゲーム要素と該第１のゲーム要素とが共通して有する前記第１のデータ項目に基づいて該第１のゲーム要素の強化を行う合成強化手段、として機能させることを特徴とする。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
表面が略球面であり、前記球面から当該球の中心側へ後退する複数のディンプルを備えたゴルフボールにおいて、
前記表面の少なくとも１箇所に、パット用打点部を備え、
前記パット用打点部は、周囲を前記複数のディンプルに取り囲まれた、ディンプルを備えない非ディンプル領域であり、
端部を有する２本の帯状の前記非ディンプル領域同士が交差して、前記パット用打点部を構成しており、
前記パット用打点部は、最小径を４ｍｍより大きなものとする領域であるゴルフボール。
【請求項２】
前記パット用打点部において、前記帯状の非ディンプル領域は、前記交差による交差点を中心にとしゴルフボール表面に沿って四方へ伸びる十字を呈するものであり、
前記十字の前記交差点から前記十字の４つの端部へ伸びる４本の領域の夫々は、前記交差点側から前記端部に至るまで太さをほぼ一定とするか又は、前記交差点側から前記端部に向けて漸次太さを小さくする、先細りのものである請求項１記載のゴルフボール。
【請求項３】
前記十字の交差点から前記十字の４つの端部へ伸びる４本の領域の夫々について、隣り合う前記領域同士間の谷間は、前記交差点を中心とする円弧をなすものである請求項２記載のゴルフボール。
【請求項４】
ゴルフボールの表面の６箇所に前記パット用打点部を備え、球体であるゴルフボール表面上の１つの大円を第１大円とし、前記第１大円と直交する大円の１つを第２大円として、前記パット用打点部のうち２つは、ゴルフボール表面における前記第１大円と前記第２大円の２つの交差点に配置され、他の４つのパット用打点部は、夫々ゴルフボール表面上前記両交差点から等距離にある前記第１大円と第２大円上の位置に配置されたものである請求項１乃至３の何れかに記載のゴルフボール。
【手続補正２】
【補正対象書類名】明細書
【補正対象項目名】０００７
【補正方法】変更
【補正の内容】
【０００７】
本発明では、グリーンにおいてパッティングでカップを狙うプレーヤーが、パット用打点部即ちディンプルの設けられていない領域を、打つことができる。このため、パターのフェースがディンプルの縁と接触して打ち出し方向の精度が損なわれるという、従来の問題を回避できる。
特にパット用打点部を十字型とすることにより、十字の最大径を大きく確保しつつも、ゴルフボール表面でのパット用打点部によるディンプル領域の専有範囲の侵食を抑えることができる。
上記十字の中心線の一方を水平とするようにグリーン上にゴルフボールを置いてパッティングを行うことにより、非ディンプル領域であるパット用打点部の最大径を生かしてディンプルの影響を排除したパッティングを行うことができるのである。
詳しくは、グリーン上にて、十字形に形成したパット用打点部の最大径部分を左右横方向に伸びるようゴルフボールを置くことによって、左右横長のパターのヘッドに対し、打点とできる十分な幅を左右横方向へ確保することができる。従って、ボール表面における各パット用打点部配置の対称性を考慮してパット用打点部を十字形に形成したとしても、必要な非ディンプルを十分に確保することができる。このため十字形のパット用打点部は、同じ最大径を採る円や凸多角形の輪郭を持つパット用打点部に比べてディンプル領域の占有面積を大きく落とさずに済ますことができるのである。
更に、本発明において、パット用打点部の大きさを制限すると共にパット用打点部同士について球状のゴルフボールの１つの大円上へ略等間隔を開けて配置すること、特に、球状のゴルフボールの１つの大円を第１大円として、当該第１大円と直交する大円を第２大円とし、各パット用打点部を第１大円上と第２大円上の夫々へ配置するものとし、一部のパット用打点部を第１大円と第２大円の２つの交差点の夫々に配置することで、パッティングの際の上記効果を得つつも、パット用打点部の偏りを抑えた分布を確保した。即ちパット用打点部の存在によってディンプルが偏ることを抑制し、フェアウエイでのプレーでの飛距離や飛び方向への影響を抑えることを可能とした。また、二次的な効果であるが、上記のパット用打点部の偏りを抑える工夫は、ディンプルの分布の対称性の確保を可能とするものであり、ゴルフボールの公認球として利用できる幅を広げた。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
第１プレイヤーがイベントで行うゲームの進行を制御するゲーム制御部と、
前記第１プレイヤーと異なる第２プレイヤーを複数プレイヤーの中から選出するプレイヤー選出部と、
前記第１プレイヤーがゲームを行った前記イベントに関連させた関連イベントを、前記第２プレイヤーに対して発生させるイベント発生部と、
前記第１プレイヤーと前記第２プレイヤーとの間でイベントを関連させたことに基づき、前記第１プレイヤー及び前記第２プレイヤーの共通パラメーターを変動させて、前記共通パラメーターが上限に到達する度に、前記第１プレイヤーと前記第２プレイヤーとの間の連携レベルを上昇させるイベント管理部と、
を備え、
数日間にわたって開催されるイベント開催期間に応じて連携レベルに上限が設けられており、
前記イベント管理部は、前記連携レベルの上限に到達した後では、前記共通パラメーターが上限に到達したとしても、前記連携レベルを上昇させない、
ことを特徴とする情報処理装置。
【請求項２】
請求項１に記載の情報処理装置であって、
前記イベント発生部は、前記連携レベルの上限の高さに応じた敵キャラクターが出現するイベントを発生させる、
ことを特徴とする情報処理装置。
【請求項３】
請求項１又は２に記載の情報処理装置であって、
前記イベント管理部は、前記第１プレイヤーと前記第２プレイヤーとの間の連携レベルの高さと、イベントを関連させた第２プレイヤーの人数に応じて、前記第１プレイヤーに対して報酬を付与する、
ことを特徴とする情報処理装置。
【請求項４】
コンピューターに、
第１プレイヤーがイベントで行うゲームの進行を制御するゲーム制御処理と、
前記第１プレイヤーと異なる第２プレイヤーを複数プレイヤーの中から選出するプレイヤー選出処理と、
前記第１プレイヤーがゲームを行った前記イベントに関連させた関連イベントを、前記第２プレイヤーに対して発生させるイベント発生処理と、
前記第１プレイヤーと前記第２プレイヤーとの間でイベントを関連させたことに基づき、前記第１プレイヤー及び前記第２プレイヤーの共通パラメーターを変動させて、前記共通パラメーターが上限に到達する度に、前記第１プレイヤーと前記第２プレイヤーとの間の連携レベルを上昇させるイベント管理処理と、
を実行させるゲームプログラムであって、
数日間にわたって開催されるイベント開催期間に応じて連携レベルに上限が設けられており、
前記イベント管理処理は、前記連携レベルの上限に到達した後では、前記共通パラメーターが上限に到達したとしても、前記連携レベルを上昇させない、
ことを特徴とするゲームプログラム。
【請求項５】
コンピューターが、
第１プレイヤーがイベントで行うゲームの進行を制御するステップと、
前記第１プレイヤーと異なる第２プレイヤーを複数プレイヤーの中から選出するステップと、
前記第１プレイヤーがゲームを行った前記イベントに関連させた関連イベントを、前記第２プレイヤーに対して発生させるステップと、
前記第１プレイヤーと前記第２プレイヤーとの間でイベントを関連させたことに基づき、前記第１プレイヤー及び前記第２プレイヤーの共通パラメーターを変動させて、前記共通パラメーターが上限に到達する度に、前記第１プレイヤーと前記第２プレイヤーとの間の連携レベルを上昇させるステップと、
を有する情報処理方法であって、
数日間にわたって開催されるイベント開催期間に応じて連携レベルに上限が設けられており、
コンピューターが、前記第１プレイヤーと前記第２プレイヤーとの間の連携レベルを上昇させる前記ステップは、
前記連携レベルの上限に到達した後では、前記共通パラメーターが上限に到達したとしても、前記連携レベルを上昇させない、
ことを特徴とする情報処理方法。